【事件の表示】
　特願２００１−２９２７００「冷蔵庫、その在庫管理方法、そのプログラム及び在庫管理システム並びにその在庫管理方法」拒絶査定不服審判事件〔平成１５年　４月　３日出願公開、特開２００３−　９７８８４〕について、次のとおり審決する。
【結　論】
　本件審判の請求は、成り立たない。
【理　由】
１．手続の経緯
　本願は、平成１３年９月２６日にした出願であって、原審における平成１７年６月１０日付けの拒絶理由通知書に記載した理由によって平成１７年８月２５日付けで拒絶査定（平成１７年８月３０日発送）されたところ、平成１７年９月２９日に審判請求されたものである。
     　
２．本願発明　
　本願の請求項１ないし２７に係る発明は、平成１７年８月１５日付けの手続補正により補正された特許請求の範囲の請求項１ないし２７に記載された事項により特定されるとおりのものであり、その請求項１に係る発明（以下「本願発明」という。）は、次のとおりのものである。
　
「冷蔵庫の扉の開閉を検出するドア開閉検出手段と、
　前記ドア開閉検出手段の冷蔵庫の扉の開閉検出に応答して、前記冷蔵庫内の在庫物品に予め装着され当該物品の管理情報を保持する非接触ＩＣラベルから前記管理情報を非接触で読取る読取り手段と、
　前記読取り手段により読取られた前記管理情報を基に、前記在庫物品の管理をなす管理手段とを含むことを特徴とする冷蔵庫。」
     　
３．引用例に記載された事項　
　原審における平成１７年６月１０日付けの拒絶理由通知書中に引用した、本願の出願の日前の特許出願であって、本願の出願後に出願公開がされた特願２０００−２７０１１５号（特開２００２−８１８４８号公報参照）の願書に最初に添付された明細書又は図面（以下、「先願明細書」という。）には、次の事項が記載されている。
　　
ア．「【００３０】次に、図１及び図２を参照して電気的構成の要部について説明する。前述したように、ホーム端末７は、表示装置７ａ及び操作部７ｂからなる表示部２３を備えると共に、内部には、庫内の各室に収容している食品の保存状態を管理して各種の表示を行うための食品管理プログラムを記憶させた制御装置２４が配設されている。制御装置２３は、ＣＰＵを主体としてＲＯＭ、ＲＡＭや種々の入出力インターフェースを備えた構成とされている。また、制御装置２３は、検出手段としての機能を兼ね備えており、前述したアンテナ１８ａ〜１８ｎによる無線タグ１７との通信により得られる食品情報を食品情報受信部であるリーダ２５を介して入力する。また得られた食品情報をデータベースとして記憶する食品情報データベース２６が接続されている。」（段落【００３０】）
　
イ．「【００３２】図２は、アンテナ１８ａ〜１８ｎにより通信を行う無線タグ１７との関係を電気的に示している。無線タグ１７は、例えば、コイン形状やカード形状に形成された外観を有するもので、内部に通信用のコイル状アンテナ１７ａと送受信回路１７ｂ及び食品情報を記憶するメモリ１７ｃが配設され、樹脂などで一体に成形されている。この無線タグ１７のメモリ１７ｃには、これを添付する食品の内容を認識するための食品情報が記憶されている。食品情報としては、例えば、食品識別コードや賞味期限などのデータである。
【００３３】アンテナ１８ａ〜１８ｎを構成するコイルから所定周波数の磁力線（磁束）が発生されると、無線タグ１７側のアンテナ１７ａを構成するコイルにその磁束が鎖交し、電磁誘導により電力が発生する。無線タグ１７側においては、この電力を利用してメモリ１７ｃに記憶されている食品情報をリーダ２５側のアンテナ１８ａ〜１８ｎに送信することで読み取りが行われるようになっている。」（段落【００３２】〜【００３３】）
　
ウ．「【００３７】したがって、この実施形態においては、冷蔵庫内に収容された食品の無線タグ１７がいずれのアンテナ１８ａ〜１８ｎと通信を行ったかによってその収容位置を特定することができるのである。いま、例えば、無線タグ１７を付した食品としてパック入りの「牛乳」が冷蔵室２のポケット１０ｃに収容されたとすると、アンテナ１８ｅにより無線タグ１７と通信が行われる。リーダ２５により無線タグ１７の食品情報が受信されると、制御装置２５は、その食品情報を得ると共にアンテナ１８ｅにより受信したことから判断して「牛乳」の入庫された位置を冷蔵室扉２のポケットであると推定する。
【００３８】次に、制御装置２５は、表示装置７ａに対して図８に示すように、入庫情報として入庫された食品の名称とその入庫位置を概略図と共に一定時間表示する。また、制御装置２５は、入庫された食品の食品情報として、購入日、賞味期限、数量などの情報を、入庫位置と共に食品情報データベース２６に記憶するようになる。なお、この表示画面は、冷蔵庫の本来の機能をサポートすべく、庫内の温度情報や冷却調理を行う場合の各種ボタンを配置して表示している。
【００３９】制御装置２５は、庫内に収容されている食品について、無線タグ１７と通信を行うべく、一定時間間隔毎にアンテナ１８ａ〜１８ｎにより通信を行うようにしており、これにより、在庫の食品や使用してなくなった食品などを検出して食品情報データベース２６の記憶情報と比較することにより管理を行うようになっている。
【００４０】また、庫内に収容された食品で、例えば、バターや牛乳などの１回で消費しないようなものの場合には、一旦、庫外に取り出した後に再びあるいは繰り返し収容するものがある。このような食品も考慮して、制御装置２５は、庫内に収容した食品の出入回数をカウントし、そのカウント数を食品情報データベース２６に食品情報として付加して記憶する。」（段落【００３７】〜段落【００４０】）
　
エ．「【００４４】このような本実施形態によれば、冷蔵庫本体１に食品に付した無線タグ１７と通信を行うための多数のアンテナ１８ａ〜１８ｎを設け、制御装置２５により、通信を行ったアンテナを検出することで食品の収容位置を検出するようにしたので、庫内に収容した食品のすべての無線タグ１７と通信が行えるようになり、しかも、収容した食品の食品情報と共に収容位置を認識して在庫情報を管理することができるので、食品管理をきめ細かく行えると共に、使用者の使い勝手を向上させることができるようになる。」（段落【００４４】）
　    
オ．「【００４６】また、本実施形態によれば、表示装置７ａにより、入庫した食品の食品情報と共に収容位置を冷蔵庫の概略図中に示すので、食品の入庫時に収容位置を視覚的に把握することができるようになる。また、表示装置７ａにより、在庫食品の一覧表示を行えるようにしたので、在庫食品の状態を把握するのに簡単且つ迅速に行えると共に、扉を開けることなく認識できることから、扉の開閉回数や開放時間を短くすることができ、庫内の無駄な温度上昇を防止して効率良く冷却動作を行わせることができるようになる。」（段落【００４６】）
　
カ．「【００５０】本発明は、上記実施例にのみ限定されるものではなく、次のように変形または拡張できる。冷蔵庫以外にも、食品ストッカーなど常温で保管するものや、食品を所定温度で保温しながら保管するものの食品の管理などにも適用することができる。無線タグは、コイン状をなすもの以外にＩＣカードタイプや他の食材情報を送信可能なチップタイプのものを用いることができる。食品情報の管理は、インターネットなどを通じて食品管理サーバを設けて、この食品管理サーバと情報のやり取りを行うことで管理処理を行う方式のシステムを採用することもできる。」（段落【００５０】）
　　
キ．そして、図８には、冷蔵室扉２ａの中央部に設けた表示装置７ａの、冷蔵庫の入庫情報を示した表示画面の図として、「ただいま入庫した食品は牛乳です。冷蔵庫扉ポケットにあります。」と記載されている。
　
４．先願明細書に記載された発明 
　上記摘記事項キによれば、先願明細書には、冷蔵室扉２ａを開閉して入庫した直後において、入庫された食品が牛乳であって、その入庫位置を冷蔵庫の扉に設けた表示装置に表示していることが記載されているものと認められる。
　また、上記摘示事項ウの「庫内に収容した食品の出入回数をカウントし、」（段落【００４０】）の記載のように出入回数をカウントするためには、扉の開閉時において食品が出入して在庫状況が変更することを無線タグにて検知することが必要と考えられる。
　以上のことからみて、先願明細書には、冷蔵庫の扉の開閉に応答して、無線タグの食品情報を読取ることが記載されているものと認められる。
　よって、上記摘記事項及び図面の記載によれば、先願明細書には、次の発明が記載されていると認められる（以下、「先願発明」という。）。 
　
「冷蔵庫の扉の開閉に応答して、前記冷蔵庫内の在庫食品に予め装着され当該食品の食品情報を記憶するＩＣカードタイプやチップタイプの無線タグから前記食品情報を無線で読取るリーダ２５と、前記リーダ２５により読取られた前記食品情報を基に、前記在庫食品の管理をなす食品管理プログラムを記憶させた制御装置２４を内部に配設したホーム端末７を含む冷蔵庫。」
     　
５．対比・判断　
　本願発明と、先願発明を対比すると、先願発明の「在庫食品」は本願発明の「在庫物品」に相当するものであり、以下同様に、「食品情報」は「管理情報」に、「当該食品の食品情報を記憶するＩＣカードタイプやチップタイプの無線タグ」は「当該物品の管理情報を保持する非接触ＩＣラベル」に、「無線で読取るリーダ２５」は「非接触で読取る読取り手段」に、「前記在庫食品の管理をなす食品管理プログラムを記憶させた制御装置２４を内部に配設したホーム端末７」は「前記在庫物品の管理をなす管理手段」に相当するものである。
　そうすると、両発明は、
「冷蔵庫の扉の開閉に応答して、前記冷蔵庫内の在庫物品に予め装着され当該物品の管理情報を保持する非接触ＩＣラベルから前記管理情報を非接触で読取る読取り手段と、
　前記読取り手段により読取られた前記管理情報を基に、前記在庫物品の管理をなす管理手段とを含むことを特徴とする冷蔵庫。」
の点で一致し、次の点で一応相違する。
　
相違点　
　本願発明は、「冷蔵庫の扉の開閉を検出するドア開閉検出手段」を設けたものであるのに対し、先願発明は、その明記がない点。
     　
　以下、この相違点について検討する。
　
　冷蔵庫の扉の開閉を検出するドア開閉検出手段を設ける点は、先願の出願時において周知〔必要であれば、特開昭６２−２８４１７３号公報（ドア開閉検出器１２）、特開平１０−３１６２１０号公報（出入口開閉検知装置２２）、特開平５−４５０４１号公報（ドアスイッチ７）参照。〕であり、先願発明も冷蔵庫の扉の開閉に応じて無線タグの情報を読取るものである以上、その読取りのタイミングを制御するためには、扉（ドア）の開閉を検知することは当然のことであるから、先願発明に、前記周知の冷蔵庫の扉の開閉を検出するドア開閉検出手段が設けられていることは自明のことにすぎない。
　以上の点からみて、上記相違点は、実質的なものでない。すなわち、本願発明は、実質的に、先願発明と同一である。
　
　なお、請求人は、審判請求書の補正書において、
「引用文献１の段落「０００６」や「００２６」等には、審査官殿の上記ご主張の通り、食品が冷蔵庫本体内に収容されると読み取りを行なう旨の記載がある。
　しかしながら、引用文献１の段落「００３５」及び「００３６」には、読み取りの具体的な方法として、冷蔵庫本体内に設けられたアンテナが冷蔵庫本体内に収容された食品に付された無線タグと一定時間間隔で通信を行って食品情報を読取ることが記載されており、すなわち、引用文献１記載の発明では、段落「０００６」や「００２６」における、食品が冷蔵庫本体内に収容されると読み取りを行なう旨の記載は、一定時間間隔でアンテナと無線タグ間で通信を行なうことによって実現されるのである。
　このように、引用文献１記載の発明は、一定時間間隔でアンテナと無線タグ間で通信を行なうことにより、食品が冷蔵庫本体内に収容された際に読み取りを行うことを実現しているのであって、ドアの開閉を検出することによって食品が冷蔵庫本体内に収容されたことを判断して読み取りを行なうものではない。」
と、先願発明は、「一定時間間隔でアンテナと無線タグ間で通信を行なう」点で本願発明と相違する旨を主張している。
　しかし、先願発明のこの「一定時間間隔でアンテナと無線タグ間で通信を行なう」ことは、本願明細書において、「【００４９】なお、タイマ値が設定値に達している場合（ステップＳ１６，Ｙｅｓ）に、ステップＳ２と同様の読取り動作を行うこととして、これにより読取られた在庫物品の管理情報に含まれる賞味期限を基にステップＳ１１の賞味期限切れの判断を行うようにしてもよいことは勿論である。すなわち、一定時間間隔で冷蔵庫内の物品の管理情報を読取って賞味期限が切れていないかどうか確認するようにしてもよい。」と記載されていることと同様の動作を示しているにすぎず、先願発明が扉の開閉時に無線タグの情報を読取ることを妨げるものではない。そして、食品の出入りがあり、在庫状況が変更されるのは、扉の開閉時であることを考えれば、先願発明も当然扉の開閉時に管理情報を得るべく、無線タグの情報を読取ることは自明のことである。
　よって、請求人の主張は採用することができない。　
     　
６．むすび
　したがって、本願の請求項１に係る発明（本願発明）は、その出願の日前の特許出願であって、その後に出願公開がされた特許出願の願書に最初に添付された明細書又は図面に記載された発明（先願発明）と同一であり、しかも、本願の発明者が先願発明をした者と同一ではなく、また本願の出願の時において、本願の出願人が先願の出願人と同一でもないので、特許法第２９条の２の規定により、特許を受けることができないものである。
　よって、本願の他の請求項に係る発明について判断するまでもなく、結論のとおり審決する。